(57)【要約】【課題】従来のテレビ装置にステレオ音声を発音させるために１対のスピーカを設けた場合、テレビ装置の姿勢を上下反転させ、液晶表示部に表示されている画像を合わせて上下反転させても、スピーカから発音される音声は左右逆転したままの状態になり、ステレオ音声を発音させると視聴者が違和感を感じるという不具合が生じる。【解決手段】１対のスピーカから右チャンネル音と左チャンネル音とからなるステレオ音が発音されている状態で、画像の上下の切換に連動して、液晶表示部の向かって右側のスピーカから右チャンネル音を発音し、同じく左側のスピーカから左チャンネル音を発音するようにスピーカの発音チャンネルを切り替える発音チャンネル切換手段を設けた。【選択図】  図３
2014011712.tif 000002
【特許請求の範囲】
【請求項１】
本体の表面に画像を表示する液晶表示部と、その液晶表示部を挟むように配置された１対のスピーカとを備えると共に、本体の姿勢を検知する姿勢検知手段を有し、液晶表示部が水平状態から立ち上がっている状態で液晶表示部の上辺が上方になるように、表示されている画像の上下を切り替える画像切換手段を有する液晶表示装置において、上記１対のスピーカから右チャンネル音と左チャンネル音とからなるステレオ音を発音する際に、上記画像切換手段による画像の上下の切換に連動して、液晶表示部の向かって右側のスピーカから右チャンネル音を発音し、同じく左側のスピーカから左チャンネル音を発音するようにスピーカの発音チャンネルを切り替える発音チャンネル切換手段を設けたことを特徴とする液晶表示装置。
【請求項２】
上記液晶表示装置は浴室の壁面に取り付けられる浴室テレビであって、推奨される取付位置より上方に取り付ける場合に、その上方に変位した位置における標準の姿勢での液晶表示部の視認性より上下反転させた姿勢での液晶表示部の視認性が優れている液晶表示部が用いられている場合、浴室テレビの操作を行うリモコンからの赤外線を受光する受光部を、標準の姿勢において液晶表示部の上方になるように設けたことを特徴とする請求項１に記載の液晶表示装置。
【請求項３】
上記液晶表示部の左右両側辺の少なくとも一方に近接して、その側辺に平行になるよう上下方向に並んだ複数の操作スイッチを有すると共に、各操作スイッチに関する表示を液晶表示部の各操作スイッチに近接した位置に表示する表示手段を備え、上記標準の姿勢における表示の順番を、姿勢を上下反転させた際に同様に上下反転させ、かつ、各操作スイッチの機能も合わせて上下反転するように切り替えるスイッチ機能切り替え手段を設けたことを特徴とする請求項１または請求項２に記載の液晶表示装置。
【発明の詳細な説明】
【技術分野】
【０００１】
本発明は、姿勢を上下反転していずれの姿勢でも使用することのできる液晶表示装置に関する。
【背景技術】
【０００２】
液晶表示部に画像を表示させる液晶テレビなどの液晶表示装置では、小型軽量化が進み、携帯して使用することができるようになっている。そのため、従来の据え置き型のテレビ装置では使用時の上下方向の姿勢が固定されていたが、近年の液晶表示装置では上下方向の姿勢を自由に反転して使用することができるものがある。
【０００３】
一方、液晶表示部の構造にはいくつかの種類があるが、廉価なため広く使用されている液晶表示部に、ＴＮ型（Ｔｗｉｓｔｅｄ  Ｎｅｍａｔｉｃ型、ねじれネマティック型）と呼ばれているものがある。このものは、画面に対して正面方向から画像を鑑賞する場合には問題は生じないが、液晶分子の姿勢が前方と後方とで９０度ねじれているので、視野角が狭く、かつ、上方から見下ろして鑑賞する場合と下方から見上げて鑑賞する場合とで、視認状態が相違するという特性を有している。
【０００４】
すなわち、水平方向もしくは見下ろす方向に視認する場合には画像を識別できるが、見上げる方向に視認すると画像が識別できない場合が生じる。そのような見上げる方向で視認するしかできない場合には、液晶表示装置自体を上下反転させ、見下ろす方向で視認した状態と同じ状態にして画像を識別できるようにすることが考えられる。但しその場合には液晶表示部に表示される画像も上下反転されるので、液晶表示装置の姿勢を検知して、液晶表示装置の姿勢が上下反転されれば、表示されている画像を更に上下反転させ、視認される画像は上下反転されないようにしたものが知られている（例えば、特許文献１参照）。
【先行技術文献】
【特許文献】
【０００５】
【特許文献１】特開２００８−２８１６２２号公報（段落００１６，００２１）
【発明の概要】
【発明が解決しようとする課題】
【０００６】
従来、小型のテレビ装置等ではスピーカを１個しか備えておらず、スピーカから発音させる場合にはモノラル音声を発音していた。しかし、近年視聴者のニーズが多様化し、比較的小型の液晶テレビなどの液晶表示装置であっても、ステレオ音声を発音させることが望まれてきている。ステレオ音声を発音させるためには、少なくとも左右１対のスピーカを必要とし、液晶表示部に向かって右側に位置するスピーカからは右チャンネルの音声を発音させ、同じく左側に位置するスピーカからは左チャンネルの音声を発音させることになる。
【０００７】
ところが、上記従来の特許文献１に記載されたテレビ装置にステレオ音声を発音させるために１対のスピーカを設けた場合、テレビ装置の姿勢を上下反転させ、液晶表示部に表示されている画像を自動的に上下反転させても、スピーカから発音される音声は左右逆転したままの状態になり、ステレオ音声を発音させると視聴者が違和感を感じるという不具合が生じる。
【０００８】
そこで本発明は、上記の問題点に鑑み、液晶表示装置の姿勢を上下反転させてもステレオ音声に対して違和感を感じることのない液晶表示装置を提供することを課題とする。
【課題を解決するための手段】
【０００９】
上記課題を解決するために本発明による液晶表示装置は、本体の表面に画像を表示する液晶表示部と、その液晶表示部を挟むように配置された１対のスピーカとを備えると共に、本体の姿勢を検知する姿勢検知手段を有し、液晶表示部が水平状態から立ち上がっている状態で液晶表示部の上辺が上方になるように、表示されている画像の上下を切り替える画像切換手段を有する液晶表示装置において、上記１対のスピーカから右チャンネル音と左チャンネル音とからなるステレオ音を発音する際に、上記画像切換手段による画像の上下の切換に連動して、液晶表示部の向かって右側のスピーカから右チャンネル音を発音し、同じく左側のスピーカから左チャンネル音を発音するようにスピーカの発音チャンネルを切り替える発音チャンネル切換手段を設けたことを特徴とする。
【００１０】
上記構成によれば、液晶表示装置の上下方向を反転させた場合、液晶表示部に表示されている画像が上下反転するが、それに連動して左右のスピーカから発音される音声の左右チャンネル音が切り替えられるので、視聴者はステレオ音を違和感なく聞くことができる。
【００１１】
また、上記液晶表示装置は浴室の壁面に取り付けられる浴室テレビであって、推奨される取付位置より上方に取り付ける場合に、その上方に変位した位置における標準の姿勢での液晶表示部の視認性より上下反転させた姿勢での液晶表示部の視認性が優れている液晶表示部が用いられている場合、浴室テレビの操作を行うリモコンからの赤外線を受光する受光部を、標準の姿勢において液晶表示部の上方になるように設ければよい。
【００１２】
この場合、推奨される位置に標準の姿勢で取り付けると受光部は液晶表示部の上方に位置し、推奨される位置より上方に取り付ける際には、液晶表示装置を上下反転させるので受光部は液晶表示部の下方に位置することになる。すなわち、液晶表示装置の取付位置が上方にずれても、受光部の位置は推奨される取付位置に取り付けた場合の受光部の位置から大きくずれることがない。このため、液晶表示装置の取付位置がいずれであっても赤外線リモコンを操作する際のリモコンの姿勢はほとんど変える必要がない。
【００１３】
更に、上記液晶表示部の左右両側辺の少なくとも一方に近接して、その側辺に平行になるよう上下方向に並んだ複数の操作スイッチを有すると共に、各操作スイッチに関する表示を液晶表示部の各操作スイッチに近接した位置に表示する表示手段を備え、上記標準の姿勢における表示の順番を、姿勢を上下反転させた際に同様に上下反転させ、かつ、各操作スイッチの機能も合わせて上下反転するように切り替えるスイッチ機能切り替え手段を設けることが望ましい。
【発明の効果】
【００１４】
以上の説明から明らかなように、本発明は、ステレオ音を再生している状態で液晶表示装置の姿勢を上下反転させても、液晶表示部に表示されている画像の反転と共に左右から発音される音声チャンネルを切り替えることにより、液晶表示装置を反転させる前と後とで同じ状態のステレオ音を発音させることができる。
【図面の簡単な説明】
【００１５】
【図１】浴室テレビを推奨される位置に標準の姿勢で取り付けた状態を示す図
【図２】標準の姿勢状態での浴室テレビの正面図
【図３】標準の姿勢と反転させた姿勢とを比較する図
【図４】操作スイッチと操作スイッチに関連する表示との関係を示す図
【発明を実施するための形態】
【００１６】
図１を参照して、１は本発明による液晶表示装置である浴室テレビである。この浴室テレビ１は浴室の壁面ＢＷに取り付けられるものである。なお、ＢＴは浴槽であり、ＢＣは浴槽ＢＴの上部周縁である。
【００１７】
この浴室テレビ１は標準の姿勢の他、標準の姿勢に対して上下反転させた姿勢でも使用することができる。図２に標準の姿勢を示す。本図において、浴室テレビ１の表面中央には液晶表示部１１が設けられている。この液晶表示部１１はＴＮ型と呼ばれる液晶を用いており、液晶表示部１１を正面から視認すると表示されている画像（静止画および動画）を鮮明に視認することができる。但し、この標準の姿勢のまま上方から見下ろすように見ると全体に画像が白くなるが何が表示されているかを視認することはできる。これに対して下方から見上げるように見ると全体に画像が暗くなり、表示されている内容が視認しづらくなる傾向がある。
【００１８】
この液晶表示部１１を挟んで左右には１対のスピーカ２Ａ、２Ｂが設けられている。モノラル音を発音する場合には左右のスピーカ２Ａ、２Ｂからは共に同じ音声が発音されるが、ステレオ音を発音する際には、向かって右側のスピーカ２Ａからは右チャンネル音が発音され、向かって左側のスピーカ２Ｂからは左チャンネル音が発音される。
【００１９】
液晶表示部１１の向かって左側には各種の操作を行うための複数個の操作スイッチ３が、上下方向に並んで設けられている。また、この浴室テレビ１の操作はこれら操作スイッチ３の他に、図示しない赤外線リモコンによっても行うことができる。その赤外線リモコンから射出される赤外線は、液晶表示部１１の上方に設けられた受光部４によって受光される。
【００２０】
図３を参照して、浴室テレビ１を壁面ＢＷに取り付ける際に、何ら障害となるものが壁面ＢＷに無い場合には、図１および図３の左側に示すように、推奨される位置に、図２に示した標準の姿勢で取り付ける。この推奨される位置とは浴槽ＢＴの上部周縁ＢＣからの距離がＨ１となる位置である。但し、カランなどの障害物が壁面ＢＷにあり、この推奨される位置に浴室テレビ１を取り付けることができない場合には、取付位置を上方にずらして上部周縁ＢＣからＨ２の距離になる位置に取り付ける場合が生じる。
【００２１】
ただし、その上方にずれた位置に標準の姿勢のまま取り付けると、液晶表示部１１を下方から見上げることになり、上述のように画像を視認しづらくなる。そこで、上方にずれた位置に浴室テレビ１を取り付ける場合には、標準の姿勢に対して上下が反転された姿勢で取り付けるようにした。
【００２２】
この浴室テレビ１の内部には図示しないが加速度センサ等からなる姿勢を検知するためのセンサが内蔵されており、浴室テレビ１の姿勢が上下反転されると、その上下反転されたことをセンサが検知して、液晶表示部１１に表示される画像を上下反転させるように構成されている。このように、浴室テレビ１の姿勢が上下反転されても表示される画像が更に上下反転されるので、結果的に画像は反転されない状態で表示されることになる。また、このように画像を上下反転させる際に、同時に自動的にスピーカ２Ａから発音されていた右チャンネル音を左チャンネル音に切り替え、かつスピーカ２Ｂで発音されていた左チャンネル音を右チャンネル音に切り替えるようにした。
【００２３】
そして、標準の姿勢で受光部４は液晶表示部１１の上方に位置しているので、浴室テレビ１を上方にずらして上下方向の姿勢を反転させると、図３の右側に示すように受光部４は液晶表示部１１の下方に位置することになり、浴室テレビ１を上方にずらして上下反転させても、受光部４の位置は適正受光範囲Ｌ内に収まり、赤外線リモコンを向ける方向はほとんど変化しない。
【００２４】
図４を参照して、操作スイッチ３に各々機能が割り当てられているが、浴室テレビ１の姿勢を上下反転させると、その割り当てられていた機能を上下反転させて再割り当てを行うようにした。そして、どの操作スイッチ３にどの操作が割り当てられているかを液晶表示部１１に簡易表示させる機能を備えているが、割り当てを再割り当てするのと同時に表示の順位を再割り当てに合わせて表示し直すようにした。
【００２５】
なお、本発明は上記した形態に限定されるものではなく、本発明の要旨を逸脱しない範囲内において種々の変更を加えてもかまわない。
【符号の説明】
【００２６】
１  浴室テレビ
２Ａ  スピーカ
２Ｂ  スピーカ
３  操作スイッチ
４  受光部
１１  液晶表示部
ＢＣ  上部周縁
ＢＴ  浴槽
ＢＷ  壁面
Ｌ  適正受光範囲
【図１】
2014011712.tif 000003
【図２】
2014011712.tif 000004
【図３】
2014011712.tif 000005
【図４】
2014011712.tif 000006